(57)【特許請求の範囲】
【請求項１】
口頸部１を起立した容器体Ａと、
上記容器体口頸部内面へ嵌合させた上面開口の装着筒３下面を閉塞する底壁を中高かつ下方大径のテーパ状筒４に形成し、該テーパ状筒上部を単一錠剤が遊嵌可能な上面閉塞の遊嵌筒６に形成し、該遊嵌筒前壁に錠剤出口７を開口すると共に、遊嵌筒頂壁前部から遊嵌筒後壁を経てテーパ状筒後壁下部へ延びる割溝８を開口した錠剤溜部材Ｂと、
上記割溝８下縁から該割溝を通って上記遊嵌筒６内へ挿入可能な板バネ９を起立し、該板バネ先端部を割溝８に摺動自在に嵌合させた錠剤排出部材Ｃとを有し、
容器体倒立状態において上記板バネ９の弾性変形抵抗力に抗しての前方傾斜角度を、少なくとも錠剤の過半部を上記錠剤出口７から押出し可能な角度に定めた、
ことを特徴とする錠剤収納容器。
【請求項２】
口頸部１を起立した容器体Ａと、
上記容器体口頸部内面へ嵌合させた上面開口の装着筒３下面を閉塞する底壁を中高かつ下方大径のテーパ状筒４に形成し、該テーパ状筒上部を単一錠剤が遊嵌可能な上面閉塞の遊嵌筒６に形成し、該遊嵌筒前壁に錠剤出口７を開口すると共に、遊嵌筒頂壁前部から遊嵌筒後壁を経てテーパ状筒後壁下部へ延びる細長割溝８を形成した錠剤溜部材Ｂと、
上記細長割溝８下縁から板バネ９を起立し、該板バネ先端部から板上面が装着筒３上面とほぼ同一高さで、かつ上記細長割溝を通って遊嵌筒６内へ挿入可能な錠剤押出板１０を前方突設し、該錠剤押出板前端を上記細長割溝８上部内へ摺動自在に嵌合させた錠剤排出部材Ｃと、
上記容器体口頸部外面へ周壁内面を嵌合させた閉栓用キャップＤとを有し、
上記錠剤押出板１０上端は上記板バネ９の弾性変形抵抗力に抗しての前方傾斜により上記細長割溝８上縁に当接可能で、かつ該当接箇所を、容器体倒立状態において錠剤押出板１０が少なくとも錠剤の過半部を上記錠剤出口７から押出し可能な位置に定めた、
ことを特徴とする錠剤収納容器。
【発明の詳細な説明】
【０００１】
【発明の属する技術分野】
本発明は錠剤を収容する錠剤収納容器に関する。
【０００２】
【従来の技術】
この種の錠剤収納容器は、錠剤を入れる容器体に形成した錠剤取出用の開口部と、該開口部を開閉する開閉部材とを有するのが一般で、錠剤の取出しは開口部を開口した後、容器体を傾倒又は倒立させることにより行っている。
【０００３】
【発明が解決しようとする課題】
上記のような錠剤収納容器では、容器体を傾倒又は倒立させることにより開口部から錠剤を取り出すが、こうした場合には容器体から通常複数の錠剤が排出されるため、一個の錠剤のみが必要な場合には余分の錠剤を容器体内へ戻さなければならず面倒であった。
【０００４】
請求項１及び２記載の錠剤収納容器は、容器体口頸部内に単一錠剤が遊嵌可能な遊嵌筒を起立し、容器体倒立時に遊嵌筒の割溝内へ板バネを挿入させて錠剤を遊嵌筒から押し出させることにより、一個の錠剤のみの取り出しを可能にするものである。
【０００５】
【課題を解決するための手段】
第１の手段として、口頸部１を起立した容器体Ａと、
上記容器体口頸部内面へ嵌合させた上面開口の装着筒３下面を閉塞する底壁を中高かつ下方大径のテーパ状筒４に形成し、該テーパ状筒上部を単一錠剤が遊嵌可能な上面閉塞の遊嵌筒６に形成し、該遊嵌筒前壁に錠剤出口７を開口すると共に、遊嵌筒頂壁前部から遊嵌筒後壁を経てテーパ状筒後壁下部へ延びる割溝８を開口した錠剤溜部材Ｂと、
上記割溝８下縁から該割溝を通って上記遊嵌筒６内へ挿入可能な板バネ９を起立し、該板バネ先端部を割溝８に摺動自在に嵌合させた錠剤排出部材Ｃとを有し、
容器体倒立状態において上記板バネ９の弾性変形抵抗力に抗しての前方傾斜角度を、少なくとも錠剤の過半部を上記錠剤出口７から押出し可能な角度に定めた。
【０００６】
第２の手段として、口頸部１を起立した容器体Ａと、
上記容器体口頸部内面へ嵌合させた上面開口の装着筒３下面を閉塞する底壁を中高かつ下方大径のテーパ状筒４に形成し、該テーパ状筒上部を単一錠剤が遊嵌可能な上面閉塞の遊嵌筒６に形成し、該遊嵌筒前壁に錠剤出口７を開口すると共に、遊嵌筒頂壁前部から遊嵌筒後壁を経てテーパ状筒後壁下部へ延びる細長割溝８を形成した錠剤溜部材Ｂと、
上記細長割溝８下縁から板バネ９を起立し、該板バネ先端部から板上面が装着筒３上面とほぼ同一高さで、かつ上記細長割溝を通って遊嵌筒６内へ挿入可能な錠剤押出板１０を前方突設し、該錠剤押出板前端を上記細長割溝８上部内へ摺動自在に嵌合させた錠剤排出部材Ｃと、
上記容器体口頸部外面へ周壁内面を嵌合させた閉栓用キャップＤとを有し、
上記錠剤押出板１０上端は上記板バネ９の弾性変形抵抗力に抗しての前方傾斜により上記細長割溝８上縁に当接可能で、かつ該当接箇所を、容器体倒立状態において錠剤押出板１０が少なくとも錠剤の過半部を上記錠剤出口７から押出し可能な位置に定めた。
【０００７】
【発明の実施の形態】
以下、本発明の実施形態を図面を参照しながら説明する。
図１において、Ａは容器体で、周壁上端部から肩部を介して口頸部１を起立する。該口頸部外面に形成した雄ねじは後述の閉栓キャップＤを螺合させるためのものである。
【０００８】
Ｂは錠剤溜部材で、周壁上端から外向きフランジ２を突設し、該外向きフランジ下面を容器体口頸部１上面へ載置させて上面開口装着筒３を容器体口頸部１内面へ嵌合させる。そして該装着筒下面を閉塞する底壁を中高かつ下方大径のテーパ状筒４に形成し、該テーパ状筒上部を単一錠剤５が遊嵌可能な上面閉塞の遊嵌筒６に形成する。
【０００９】
該遊嵌筒前壁中央部に錠剤５が通過可能な錠剤出口７を開口すると共に、遊嵌筒頂壁前部中央部から遊嵌筒後壁中央部を経てテーパ状筒４後壁下端部中央部へ上下に延びる細長割溝８を形成する。
【００１０】
Ｃは錠剤排出部材で、細長割溝８下縁から板バネ９を起立し、該板バネ先端部から板上面が装着筒３上面とほぼ同一高さで、かつ板下面が遊嵌筒６後壁の上下方向中間部とほぼ同一高さの錠剤押出板１０を前方突設する。そして該錠剤押出板前端下部を、遊嵌筒６頂壁後部と遊嵌筒６後壁上部との角部に位置する細長割溝８部分へ摺動自在に嵌合させる。
【００１１】
Ｄは閉栓用キャップで、上面閉塞の周壁内面に雌ねじを有し、該雌ねじを容器体口頸部１外面の雄ねじへ螺合させている。
【００１２】
なお、上記構成に係る錠剤溜部材Ｂと錠剤排出部材Ｃとは合成樹脂材で一体成形する。このように一体成形することにより部材数の低減が図れコスト削減が可能になる。
【００１３】
次に本実施形態の作用について説明する。
容器から錠剤を取り出すには、閉栓用キャップＤを容器体Ａから外した後、図１に示す容器体正立状態（錠剤のみ容器体倒立時の状態を示す。）において容器体上方から容器体上部を持って倒立させればよく、すると容器体内から複数の錠剤がテーパ状筒４内へ移動し、その中の１つが遊嵌筒６内に遊嵌する。
【００１４】
次いで指又は爪を錠剤押出板１０後面へ掛けて板バネ弾性変形抵抗力に抗して軽く前方へ引けばよく、すると板バネ９が前方傾斜して錠剤押出板１０が細長割溝８から遊嵌筒６内へ入り錠剤を前方へ移動させる。板バネ９がある程度傾斜すると、図４に示すように錠剤押出板１０上端面が細長割溝８上縁に当接するため、板バネ９はそれ以上前方傾斜しないが、この時点で錠剤の少なくとも過半部は錠剤出口７から押し出されており、錠剤はその自重により錠剤出口７から掌上へ落下する。
【００１５】
【発明の効果】
請求項１及び２記載の錠剤収納容器は、容器体口頸部内に起立した単一錠剤が遊嵌可能な遊嵌筒内へ割溝を通して板バネ先端部を挿入自在としたので、板バネ先端部をバネ弾性変形抵抗力に抗して遊嵌筒内へ挿入させることにより一個の錠剤のみの取り出しが可能になり、従って従来のように余分の錠剤を容器体内へ戻すといった面倒さから解放されることになる。
【００１６】
また、錠剤溜部材と錠剤排出部材とは合成樹脂材により一体成形が可能な構成であり、従って部材数減少によるコスト低減が図れる。
【図面の簡単な説明】
【図１】本発明に係る錠剤収納容器の上部を示す断面図。
【図２】同じく、錠剤溜部材と錠剤排出部材との平面図。
【図３】同じく、錠剤溜部材と錠剤排出部材との分解斜視図。
【図４】同じく、錠剤排出動作説明図。
【符号の説明】
１  口頸部
３  装着筒
４  テーパ状筒
５  錠剤
６  遊嵌筒
７  錠剤出口
８  細長割溝
９  板バネ
１０  錠剤押出板
Ａ  容器体
Ｂ  錠剤溜部材
Ｃ  錠剤排出部材
Ｄ  閉栓用キャップ
【図１】
0003691224.tif 000002
【図２】
0003691224.tif 000003
【図３】
0003691224.tif 000004
【図４】
0003691224.tif 000005